(57)【要約】【課題】  給紙トレイの上に積載された用紙を給紙するにあたり、給紙トレイの上に積載された用紙の量が多くなった場合においても、用紙をピックアップローラーから給紙ローラーと捌き部材との間に適切に導かれるようにする。【解決手段】  上下方向に移動可能に設けられたピックアップローラー22により給紙トレイ21の上に積載された用紙Sを、給紙トレイの先端から給紙ローラー23と捌き部材24との間に向けて上方に傾斜した傾斜部21aを介して給紙ローラーと捌き部材との間に導く給紙装置において、給紙トレイの上に積載された用紙の先端と傾斜部との間の空間部に、用紙を給紙ローラーと捌き部材との間に案内する用紙案内部25bを有する案内補助部材25を移動可能に設け、この案内補助部材を給紙トレイの上に積載されている用紙の量に対応させて移動させるようにした。【選択図】  図３
2015160681.tif 000002
【特許請求の範囲】
【請求項１】
上下方向に移動可能に設けられたピックアップローラーを給紙トレイの上に積載された用紙の上に接触させて回転させ、このピックアップローラーにより給紙トレイの上に積載された用紙を、給紙トレイの先端から給紙ローラーと捌き部材との間に向けて上方に傾斜した傾斜部を介して給紙ローラーと捌き部材との間に導くようにした給紙装置において、給紙トレイの上に積載された用紙の先端と前記の傾斜部との間の空間部に、ピックアップローラーから用紙を給紙ローラーと捌き部材との間に導く用紙案内部を有する案内補助部材を移動可能に設け、この案内補助部材を給紙トレイの上に積載されている用紙の量に対応させて移動させることを特徴とする給紙装置。
【請求項２】
請求項１に記載の給紙装置において、前記の案内補助部材は、ピックアップローラーが給紙トレイの上に積載された用紙の上に接触する位置に対応して移動されることを特徴とする給紙装置。
【請求項３】
請求項１又は請求項２に記載の給紙装置において、前記の案内補助部材は、給紙ローラー側の支点から給紙トレイの上に積載された用紙に向けて用紙案内部が設けられ、この用紙案内部が前記の支点を中心にして上下方向に回動するように構成され、給紙トレイの上に積載された用紙の量に対応して、前記の用紙案内部が支点を中心にして上下方向に回動されることを特徴とする給紙装置。
【請求項４】
請求項１又は請求項２に記載の給紙装置において、前記の案内補助部材は、上下方向に移動可能に設けられ、給紙トレイの上に積載された用紙の量に対応して、この案内補助部材が上下方向に移動されることを特徴とする給紙装置。
【請求項５】
請求項１に記載の給紙装置において、前記の案内補助部材は、水平方向に移動可能に設けられ、給紙トレイの上に積載された用紙の量が所定量以下になると、前記の案内補助部材が前記の空間部から退避するように移動されることを特徴とする給紙装置。
【請求項６】
請求項１〜請求項５の何れか１項に記載の給紙装置において、前記の案内補助部材が給紙トレイの幅方向中央部に設けられていることを特徴とする給紙装置。
【請求項７】
請求項１〜請求項６の何れか１項に記載の給紙装置において、用紙を給紙ローラーと捌き部材との間に導く前記の案内補助部材における用紙案内部に摩擦部材を設けたことを特徴とする給紙装置。
【請求項８】
給紙トレイの上に積載された用紙を給紙装置により給紙させて、この用紙における画像を読み取るようにした画像読取装置において、請求項１〜請求項７の何れか１項に記載の給紙装置を用いたことを特徴とする画像読取装置。
【発明の詳細な説明】
【技術分野】
【０００１】
本発明は、給紙トレイの上に積載された用紙を給紙する給紙装置及びこのような給紙装置を用いた画像読取装置に関するものである。特に、上下方向に移動可能に設けられたピックアップローラーを給紙トレイの上に積載された用紙の上に接触させて回転させ、このピックアップローラーにより給紙トレイの上に積載された用紙を、給紙トレイの先端から給紙ローラーと捌き部材との間に向けて上方に傾斜した傾斜部を介して給紙ローラーと捌き部材との間に導くようにした給紙装置において、給紙トレイの上に積載された用紙の量が多くなった場合においても、給紙トレイの上に積載された用紙がピックアップローラーから給紙ローラーと捌き部材との間に適切に導かれるようにした点に特徴を有するものである。
【背景技術】
【０００２】
複写機やファクシミリ等の画像形成装置においては、用紙における画像を自動で読み取る画像読取装置が設けられたものが用いられており、このような画像読取装置においては、用紙を自動で給紙して読み取るために、給紙トレイの上に積載された用紙を給紙させる給紙装置が用いられている。
【０００３】
ここで、このような給紙装置としては、例えば、特許文献１に示されるように、上下方向に移動可能に設けられたピックアップローラーを給紙トレイの上に積載された用紙の上に接触させて回転させ、このピックアップローラーにより給紙トレイの上に積載された用紙を、給紙トレイの先端から給紙ローラーと捌きローラーとの間に向けて上方に傾斜した傾斜部を介して給紙ローラーと捌きローラーとの間に導くようにしたものが用いられている。
【０００４】
しかし、特許文献１に示される給紙装置において、図１に示すように、給紙トレイ１の上に積載された用紙Ｓの量が多くなると、給紙トレイ１の上に積載された用紙Ｓの先端と前記の傾斜部５との間の空間部が大きくなり、前記のように給紙トレイ１の上に積載された上の用紙Ｓを、ピックアップローラー２により前記の傾斜部５を介して給紙ローラー３と捌きローラー４との間に導くようにした場合、用紙Ｓの先端が前記の傾斜部５に当たって折れ曲がったり、大きくたわんだりして、用紙Ｓを給紙ローラー３と捌きローラー４との間に適切に導くことができなくなり、ジャムが発生する等の問題があった。
【０００５】
また、従来においては、給紙装置として、特許文献２に示されるように、用紙が積載される給紙トレイの先端側に上下方向に回動可能な回動部を設け、この回動部をモーター等により上方に回動させて、給紙トレイの上に積載された用紙をピックアップローラーに接触させ、この状態で、ピックアップローラーを回転させて、給紙トレイの上に積載された上の用紙を給紙ローラーと捌きローラーとの間に導くようにしたものも用いられている。
【０００６】
しかし、特許文献２に示される給紙装置においては、給紙トレイの先端側における回動部を回動させるために、モーター等の機構が必要になると共に、モーター等により上方に回動された回動部を、給紙トレイの上に積載された用紙がピックアップローラーに接触した状態で停止させるための機構等も必要になり、さらに給紙トレイの上に積載された用紙の量が多い場合には、これを持ち上げるために大きな動力も必要になり、装置が大型化すると共にコストも高くつくという問題があった。
【先行技術文献】
【特許文献】
【０００７】
【特許文献１】特開２０１２−１７１９０号公報
【特許文献２】特開２００９−４４４４９号公報
【発明の開示】
【発明が解決しようとする課題】
【０００８】
本発明は、給紙トレイの上に積載された用紙を給紙する給紙装置における前記のような問題を解決することを課題とするものである。
【０００９】
本発明においては、前記のように上下方向に移動可能に設けられたピックアップローラーを給紙トレイの上に積載された用紙の上に接触させて回転させ、このピックアップローラーにより給紙トレイの上に積載された用紙を、給紙トレイの先端から給紙ローラーと捌き部材との間に向けて上方に傾斜した傾斜部を介して給紙ローラーと捌き部材との間に導くようにした給紙装置において、給紙トレイの上に積載された用紙の量が多くなった場合においても、給紙トレイの上に積載された用紙が、ピックアップローラーから給紙ローラーと捌き部材との間に適切に導かれるようにすることを課題とするものである。
【課題を解決するための手段】
【００１０】
本発明に係る給紙装置においては、前記のような課題を解決するため、上下方向に移動可能に設けられたピックアップローラーを給紙トレイの上に積載された用紙の上に接触させて回転させ、このピックアップローラーにより給紙トレイの上に積載された用紙を、給紙トレイの先端から給紙ローラーと捌き部材との間に向けて上方に傾斜した傾斜部を介して給紙ローラーと捌き部材との間に導くようにした給紙装置において、給紙トレイの上に積載された用紙の先端と前記の傾斜部との間の空間部に、ピックアップローラーから用紙を給紙ローラーと捌き部材との間に導く用紙案内部を有する案内補助部材を移動可能に設け、この案内補助部材を給紙トレイの上に積載されている用紙の量に対応させて移動させるようにした。
【００１１】
このように、給紙トレイの上に積載された用紙の先端と前記の傾斜部との間の空間部に、ピックアップローラーから用紙を給紙ローラーと捌き部材との間に導く用紙案内部を有する案内補助部材を移動可能に設け、この案内補助部材を給紙トレイの上に積載されている用紙の量に対応させて移動させるようにすると、給紙トレイの上に積載された用紙の量が多くなった場合においても、ピックアップローラーによって給紙された用紙が、この案内補助部材における用紙案内部を通して給紙ローラーと捌き部材との間に導かれるようになり、用紙の先端が前記の傾斜部に当たって折れ曲がったり、大きくたわんだりするのが防止される。
【００１２】
ここで、前記のように案内補助部材を給紙トレイの上に積載されている用紙の量に対応させて移動させるにあたっては、給紙トレイの上に積載されている用紙の量を検知センサーにより検知して、案内補助部材を移動させるようにする他、上下方向に移動する前記のピックアップローラーが給紙トレイの上に積載された用紙の上に接触する位置に対応させて、案内補助部材を移動させるようにすることができる。そして、このようにピックアップローラーが給紙トレイの上に積載された用紙の上に接触する位置に対応させて、案内補助部材を移動させるようにすると、給紙トレイの上に積載された用紙の量に応じて、案内補助部材を適切な位置に移動させることが簡単に行えるようになる。
【００１３】
また、前記の案内補助部材としては、給紙ローラー側の支点から給紙トレイの上に積載された用紙に向けて用紙案内部が設けられ、この用紙案内部が前記の支点を中心にして上下方向に回動するように構成されたものを用い、給紙トレイの上に積載された用紙の量に対応して、前記の支点を中心にして用紙案内部を上下方向に回動させるようにすることができる。
【００１４】
また、前記の案内補助部材としては、上下方向に移動可能に設けられたものを用い、給紙トレイの上に積載された用紙の量に対応して、この案内補助部材を上下方向に移動させるようにすることができる。
【００１５】
また、前記の案内補助部材として、水平方向に移動可能に設けられたものを用い、給紙トレイの上に積載された用紙の量が所定量以下になった場合に、この案内補助部材を前記の空間部から退避させるようにすることができる。
【００１６】
また、前記のような案内補助部材を前記の空間部に設けるにあたっては、給紙トレイの上に積載される用紙の大きさが異なる場合においても、各種の大きさの用紙が、給紙トレイから給紙ローラーと捌き部材との間に適切に導かれるようにするため、この案内補助部材を給紙トレイの幅方向中央部に設けることが好ましい。
【００１７】
また、前記のように案内補助部材を介して用紙を給紙ローラーと捌き部材との間に導く場合に、複数枚の用紙が一緒に給紙ローラーと捌き部材との間に導かれるのを抑制するため、用紙を給紙ローラーと捌き部材との間に導く前記の案内補助部材における用紙案内部に摩擦部材を設けることが好ましい。
【００１８】
また、本発明に係る画像読取装置においては、給紙トレイの上に積載された用紙を給紙装置により給紙させて、この用紙における画像を自動で読み取るにあたり、前記のような給紙装置を用いるようにした。
【発明の効果】
【００１９】
本発明の給紙装置においては、前記のように給紙トレイの上に積載された用紙の先端と上方に傾斜した傾斜部との間の空間部に、用紙を給紙ローラーと捌き部材との間に導く用紙案内部を有する案内補助部材を移動可能に設け、この案内補助部材を、給紙トレイの上に積載されている用紙の量に対応させて移動させるようにしたため、給紙トレイの上に積載された用紙の量が多くなって前記の空間部が大きくなった場合においても、給紙トレイの上に積載された用紙がこの案内補助部材における用紙案内部を通してピックアップローラーから給紙ローラーと捌き部材との間に適切に導かれるようになり、用紙の先端が前記の傾斜部に当たって折れ曲がったり、大きくたわんだりするのが防止される。
【００２０】
この結果、本発明の給紙装置を用いると、給紙トレイの上に積載された用紙の量が多くなった場合においても、給紙トレイの上に積載された用紙が、案内補助部材における用紙案内部を通してピックアップローラーから給紙ローラーと捌きローラーとの間に適切に導かれるようになり、ジャム等が発生するということがなくなる。
【図面の簡単な説明】
【００２１】
【図１】従来の給紙装置を用いた例を示し、給紙トレイの上に積載された用紙の量が多い状態で、給紙トレイの上に積載された用紙を、ピックアップローラーにより給紙ローラーと捌き部材との間に導く状態を示した概略説明図である。
【図２】本発明の実施形態に係る給紙装置を用いた画像読取装置を、画像形成装置の上部に設けた状態を示した概略斜視図である。
【図３】本発明の実施形態１に係る給紙装置を用いて、給紙トレイの上に積載された用紙を、ピックアップローラーにより給紙ローラーと捌き部材との間に導く状態を示し、（Ａ）は給紙トレイの上に積載された用紙の量が多い状態で、用紙を案内補助部材における用紙案内部を通して給紙ローラーと捌き部材との間に導く状態を示した概略説明図、（Ｂ）は給紙トレイの上に積載された用紙の量が減少した場合に、案内補助部材を下方に回動させて、用紙を案内補助部材における用紙案内部を通して給紙ローラーと捌き部材との間に導く状態を示した概略説明図、（Ｃ）は給紙トレイの上に積載された用紙の量がさらに減少して、給紙トレイの先端から給紙ローラーと捌き部材との間に向けて上方に傾斜した傾斜部に近づいた場合に、案内補助部材をさらに下方に回動させて、用紙をこの傾斜部を通して給紙ローラーと捌き部材との間に導く状態を示した概略説明図である。
【図４】本発明の実施形態１に係る給紙装置において、アーム部材によりピックアップローラーが上下方向に回動されるのに伴って、案内補助部材が回転軸を中心にして上下方向に回動される構成を示した概略斜視図である。
【図５】本発明の実施形態１に係る給紙装置において、アーム部材と一緒に回動するアーム連動部材により、案内補助部材が回転軸を中心にして上下方向に回動される構成を示した概略平面図である。
【図６】本発明の実施形態１に係る給紙装置において、案内補助部材における用紙案内部に摩擦部材を設けた状態を示した概略説明図である。
【図７】本発明の実施形態２に係る給紙装置を用いて、給紙トレイの上に積載された用紙を、ピックアップローラーにより給紙ローラーと捌き部材との間に導く状態を示し、（Ａ）は給紙トレイの上に積載された用紙の量が多い状態で、用紙を案内補助部材における用紙案内部を通して給紙ローラーと捌き部材との間に導く状態を示した概略説明図、（Ｂ）は給紙トレイの上に積載された用紙の量が減少した場合に、案内補助部材を下方に移動させて、用紙を案内補助部材における用紙案内部を通して給紙ローラーと捌き部材との間に導く状態を示した概略説明図、（Ｃ）は給紙トレイの上に積載された用紙の量がさらに減少して、給紙トレイの先端から給紙ローラーと捌き部材との間に向けて上方に傾斜した傾斜部に近づいた場合に、案内補助部材をさらに下方に移動させて、用紙をこの傾斜部を通して給紙ローラーと捌き部材との間に導く状態を示した概略説明図である。
【図８】本発明の実施形態３に係る給紙装置を用いて、給紙トレイの上に積載された用紙を、ピックアップローラーにより給紙ローラーと捌き部材との間に導く状態を示し、（Ａ）は給紙トレイの上に積載された用紙の量が多い状態で、用紙を案内補助部材における用紙案内部を通して給紙ローラーと捌き部材との間に導く状態を示した概略説明図、（Ｂ）は給紙トレイの上に積載された用紙の量が減少した場合に、案内補助部材を下方に移動させて、用紙を案内補助部材における用紙案内部を通して給紙ローラーと捌き部材との間に導く状態を示した概略説明図、（Ｃ）は給紙トレイの上に積載された用紙の量がさらに減少して、給紙トレイの先端から給紙ローラーと捌き部材との間に向けて上方に傾斜した傾斜部に近づいた場合に、案内補助部材をさらに下方に移動させて、用紙をこの傾斜部を通して給紙ローラーと捌き部材との間に導く状態を示した概略説明図である。
【図９】本発明の実施形態４に係る給紙装置を用いて、給紙トレイの上に積載された用紙を、ピックアップローラーにより給紙ローラーと捌き部材との間に導く状態を示し、（Ａ）は給紙トレイの上に積載された用紙の量が多くて、用紙検知センサーによって用紙が検知されている状態で、用紙を案内補助部材における用紙案内部を通して給紙ローラーと捌き部材との間に導く状態を示した概略説明図、（Ｂ）は給紙トレイの上に積載された用紙の量が減少して、用紙検知センサーによって用紙が検知されなくなった場合に、案内補助部材を移動させて、給紙トレイの上に積載された用紙の先端と傾斜部との間の空間部から取り出し、用紙を前記の傾斜部を通して給紙ローラーと捌き部材との間に導く状態を示した概略説明図である。
【発明を実施するための最良の形態】
【００２２】
次に、本発明の実施形態に係る給紙装置及びこのような給紙装置を用いる画像読取装置を添付図面に基づいて具体的に説明する。なお、本発明に係る給紙装置及び画像読取装置は、下記の実施形態に示したものに限定されず、その要旨を変更しない範囲において適宜変更して実施できるものである。
【００２３】
この実施形態においては、図２に示すように、複写機等の画像形成装置１０の上部に設けられた画像読取装置１１において、給紙トレイ２１の上に積載された用紙Ｓを給紙させるのに使用する給紙装置２０について説明する。
【００２４】
（実施形態１）
実施形態１の給紙装置２０においては、図３（Ａ）〜（Ｃ）に示すように、給紙トレイ２１の上に積載された用紙Ｓの上に、上下方向に回動可能に設けられたピックアップローラー２２を接触させて回転させ、このピックアップローラー２２により、給紙トレイ２１の上に積載された用紙Ｓを、給紙トレイ２１の先端から給紙ローラー２３と捌きローラー（捌き部材）２４との間に向けて上方に傾斜した傾斜部２１ａを介して、給紙ローラー２３と捌きローラー２４との間に導くようにしている。
【００２５】
また、この実施形態１の給紙装置２０においては、案内補助部材２５として、給紙ローラー２３側の支点となる回転軸２５ａから給紙トレイ２１の上に積載された用紙Ｓに向けて用紙案内部２５ｂが延出されると共に、この用紙案内部２５ｂの先端から給紙トレイ２１の上に積載された用紙Ｓの先端部を抑止させる抑止部２５ｃが下方に向けて設けられたものを用いている。
【００２６】
そして、この案内補助部材２５を給紙トレイ２１の幅方向中央部に設けると共に、前記の傾斜部２１ａの幅方向中央部に切欠き部２１ｂを設け、傾斜部２１ａに設けられた切欠き部２１ｂを通して、前記の給紙トレイ２１の上に積載された用紙Ｓの先端と前記の傾斜部２１ａとの間の空間部において、この案内補助部材２５を前記の回転軸２５ａを中心にして上下方向に回動させるようにしている。
【００２７】
ここで、図３（Ａ）に示すように、給紙トレイ２１の上に積載された用紙Ｓの量が多い場合には、給紙ローラー２３側の支点となる回転軸２５ａを中心にして前記の案内補助部材２５を回動させ、この案内補助部材２５における用紙案内部２５ｂを給紙トレイ２１の上に多く積載された用紙Ｓの上部側に近づけると共に、前記の抑止部２５ｃを給紙トレイ２１の上に積載された用紙Ｓの先端部に近づけた状態にする。そして、この状態で、前記のピックアップローラー２２を回転させて、給紙トレイ２１の上に積載された用紙Ｓを、前記の用紙案内部２５ｂを通して給紙ローラー２３と捌きローラー２４との間に導くようにする。
【００２８】
また、図３（Ｂ）に示すように、給紙トレイ２１の上に積載された用紙Ｓの量が少なくなった場合には、前記の案内補助部材２５を、支点となる回転軸２５ａを中心にして、図３（Ａ）に示す状態から下方に回動させて、この案内補助部材２５における用紙案内部２５ｂを、前記のように少なくなった用紙Ｓの上部側に近づけた状態にする。そして、この状態で、前記のピックアップローラー２２を回転させて、給紙トレイ２１の上に積載された用紙Ｓを、前記の用紙案内部２５ｂを通して給紙ローラー２３と捌きローラー２４との間に導くようにする。
【００２９】
また、図３（Ｃ）に示すように、給紙トレイ２１の上に積載された用紙Ｓの量がさらに少なくなって、給紙トレイ２１の上に積載された上側の用紙Ｓが前記の傾斜部２１ａに近づいた場合には、この案内補助部材２５を、前記の支点となる回転軸２５ａを中心にしてさらに下方に回動させて、この案内補助部材２５における用紙案内部２５ｂを、傾斜部２１ａと同じ位置か、傾斜部２１ａよりも下の位置に導くようにする。そして、この状態で、前記のピックアップローラー２２を回転させて、給紙トレイ２１の上に積載された用紙Ｓを、前記の傾斜部２１ａを通して給紙ローラー２３と捌きローラー２４との間に導くようにする。
【００３０】
ここで、この実施形態１の給紙装置２０においては、図４に示すように、前記の給紙ローラー２３のローラー軸２３ａの一端にギア２３ｂを設け、このギア２３ｂを介して回転装置（図示せず）により給紙ローラー２３を回転させるようにすると共に、この給紙ローラー２３の両側におけるローラー軸２３ａの部分に、ピックアップローラー２２のローラー軸２２ａの両側を回転可能に保持する一対のアーム部材２６を、給紙ローラー２３のローラー軸２３ａに対して回転可能に取り付けると共に、給紙ローラー２３のローラー軸２３ａとピックアップローラー２２のローラー軸２２ａとに架け渡すようにしてベルト伝達機構２７を設け、このベルト伝達機構２７により給紙ローラー２３の回転に伴ってピックアップローラー２２を回転させるようにしている。
【００３１】
また、この実施形態１の給紙装置２０においては、図４及び図５に示すように、前記の案内補助部材２５の支点となる回転軸２５ａの一端にギア２５ｄを設ける一方、前記の給紙ローラー２３のローラー軸２３ａに設けられた前記のギア２３ｂと反対側に位置する前記のアーム部材２６に、このアーム部材２６と一緒に回動されるアーム連動部材２８を取り付け、このアーム連動部材２８の端部にギア２８ａを設けると共に、このアーム連動部材２８の端部におけるギア２８ａに噛み合う第１ギア部２９ａと前記の案内補助部材２５における回転軸２５ａの一端におけるギア２５ｄに噛み合う第２ギア部２９ｂとを有するギア部材２９を設けている。
【００３２】
このようにすると、前記のアーム部材２６によりピックアップローラー２２が上下方向に回動されると、このアーム部材２６と一緒に前記のアーム連動部材２８が回動されて、このアーム連動部材２８に設けられたギア２８ａの回転が、前記のギア部材２９における第１ギア部２９ａ及び第２ギア部２９ｂを介して前記の案内補助部材２５における回転軸２５ａに設けられたギア２５ｄに伝達され、ピックアップローラー２２が上下方向に回動されるのに伴って、前記の案内補助部材２５が回転軸２５ａを中心にして上下方向に回動されるようになる。
【００３３】
このため、この実施形態１の給紙装置２０においては、給紙トレイ２１の上に積載された用紙Ｓの量をセンサー等によって検知して、前記の回転軸２５ａを中心にして案内補助部材２５を適当な角度回動させるという制御を行わなくても、ピックアップローラー２２がアーム部材２６により上下方向に回動されて給紙トレイ２１の上に積載された用紙Ｓに接触する位置に対応して、前記の案内補助部材２５が前記の回転軸２５ａを中心にして適当な角度回動されるようになり、給紙トレイ２１の上に積載された用紙Ｓの量に対応して、案内補助部材２５における用紙案内部２５ｂが、給紙トレイ２１の上に積載された用紙Ｓの上部側に近づいた位置に適切に導かれるようなる。
【００３４】
このように、この実施形態１の給紙装置２０においては、給紙トレイ２１の上に積載された用紙Ｓの量に対応して、案内補助部材２５における用紙案内部２５ｂが、給紙トレイ２１の上に積載された用紙Ｓの上部側に近づいた位置に適切に導かれる結果、給紙トレイ２１の上に積載された用紙Ｓの量が多くなった場合においても、給紙トレイ２１の上に積載された用紙Ｓが、この案内補助部材２５における用紙案内部２５を通して給紙ローラー２３と捌きローラー２４との間に適切に導かれるようになり、従来のように、ピックアップローラー２２によって給紙トレイ２１から給紙された用紙Ｓが、傾斜部２１ａに当たって折れ曲がったり、大きくたわんだりするということがなくなる。
【００３５】
また、このようにピックアップローラー２２によって給紙トレイ２１から給紙された用紙Ｓを、前記の案内補助部材２５における用紙案内部２５ｂを通して給紙ローラー２３と捌きローラー２４との間に導くにあたり、複数枚の用紙Ｓが一緒に用紙案内部２５ｂを通して給紙ローラー２３と捌きローラー２４との間に導かれるのを抑制するため、図６に示すように、前記の案内補助部材２５における用紙案内部２５ｂに摩擦部材２５ｅを設けることが好ましい。
【００３６】
（実施形態２）
実施形態２の給紙装置２０においては、前記の実施形態１のものと、案内補助部材２５及びこの案内補助部材２５を移動させる方法を変更させ、それ以外は、前記の実施形態１のものと同様に構成するようにした。
【００３７】
ここで、この実施形態２の給紙装置２０においては、図７（Ａ）〜（Ｃ）に示すように、案内補助部材２５として、給紙トレイ２１の上に積載されている用紙Ｓを給紙ローラー２３と捌きローラー２４との間に案内する用紙案内部２５ｂと、給紙トレイ２１の上に積載された用紙Ｓ側に、積載された用紙Ｓの先端部を抑止させる抑止部２５ｃとを有すると共に、前記の抑止部２５ｃと反対側における給紙ローラー２３側の面に上下方向に伸びたラック部２５ｆが設けられた平面四角形状のものを用いると共に、前記の実施形態１に示す回転軸２５ａのように、ピックアップローラー２２が上下方向に回動されるのに伴って回転される回転軸２５ｇを設け、この回転軸２５ｇに前記のラック部２５ｆと噛み合うように駆動ギア２５ｈを設けている。
【００３８】
そして、前記のアーム部材２６によりピックアップローラー２２が上下方向に回動するのに伴って、前記の回転軸２５ｇに設けられた前記の駆動ギア２５ｈが上下方向に回転され、この駆動ギア２５ｈと噛み合った前記のラック部２５ｆを介して、前記の案内補助部材２５が、給紙トレイ２１の上に積載された用紙Ｓの先端と前記の傾斜部２１ａとの間の空間部において、上下方向に移動されるようにしている。
【００３９】
ここで、図７（Ａ）に示すように、給紙トレイ２１に積載された用紙Ｓの量が多い状態で、ピックアップローラー２２が給紙トレイ２１に積載された用紙Ｓの上に接触すると、前記の駆動ギア２５ｈが上下方向に伸びたラック部２５ｆの下部側と噛み合った状態になって、案内補助部材２５が上方に移動した位置で停止され、この案内補助部材２５における用紙案内部２５ｂが、給紙トレイ２１の上に多く積載された用紙Ｓの上部側に近づいた状態になる。そして、この状態で、給紙トレイ２１の上に積載された用紙Ｓを、ピックアップローラー２２によって給紙させると、この用紙Ｓが前記の用紙案内部２５ｂを通して給紙ローラー２３と捌きローラー２４との間に適切に導かれるようになる。
【００４０】
また、図７（Ｂ）に示すように、給紙トレイ２１の上に積載された用紙Ｓの量が少なくなると、アーム部材２６によりピックアップローラー２２が下方に向けて回動されるのに伴って、前記の回転軸２５ｇに設けられた前記の駆動ギア２５ｈが前記のラック部２５ｆと噛み合った状態で下方に向けて回転され、これにより案内補助部材２５が下方に移動して、この案内補助部材２５における用紙案内部２５ｂが前記のように少なくなった用紙Ｓの上部側に近づいた状態になる。そして、この状態で、給紙トレイ２１の上に積載された用紙Ｓを、ピックアップローラー２２によって給紙させると、この用紙Ｓが前記の用紙案内部２５ｂを通して給紙ローラー２３と捌きローラー２４との間に適切に導かれるようになる。
【００４１】
また、図７（Ｃ）に示すように、給紙トレイ２１の上に積載された用紙Ｓの量がさらに少なくなって、給紙トレイ２１の上に積載された上側の用紙Ｓが前記の傾斜部２１ａに近づくと、アーム部材２６によりピックアップローラー２２がさらに下方に向けて回動されるのに伴って、前記の回転軸２５ｇに設けられた前記の駆動ギア２５ｈが前記のラック部２５ｆと噛み合った状態でさらに下方に向けて回転され、これにより案内補助部材２５がさらに下方に移動されて、この案内補助部材２５における用紙案内部２５ｂが、傾斜部２１ａと同じ位置か、傾斜部２１ａよりも下の位置に導かれるようになる。そして、この状態で、給紙トレイ２１の上に積載された用紙Ｓを、ピックアップローラー２２によって給紙させると、給紙トレイ２１の上に積載された用紙Ｓと前記の傾斜部２１ａとの高低差が少なくなっているため、この用紙Ｓが傾斜部２１ａを通して給紙ローラー２３と捌きローラー２４との間に適切に導かれるようになる。
【００４２】
このため、この実施形態２の給紙装置２０においても、前記の実施形態１の給紙装置２０と同様に、給紙トレイ２１の上に積載された用紙Ｓの量に対応して、案内補助部材２５における用紙案内部２５ｂが、給紙トレイ２１の上に積載された用紙Ｓの上部側に近づいた位置に適切に導かれるようになり、給紙トレイ２１の上に積載された用紙Ｓの量が多くなった場合においても、給紙トレイ２１の上に積載された用紙Ｓが、この案内補助部材２５における用紙案内部２５を通して給紙ローラー２３と捌きローラー２４との間に適切に導かれるようになり、従来のように、ピックアップローラー２２によって給紙トレイ２１から給紙された用紙Ｓが、傾斜部２１ａに当たって折れ曲がったり、大きくたわんだりするということがなくなる。
【００４３】
（実施形態３）
実施形態３の給紙装置２０においては、前記の実施形態１、２のものと、案内補助部材２５及びこの案内補助部材２５を移動させる方法を変更させ、それ以外は、前記の実施形態１、２のものと同様に構成するようにした。
【００４４】
ここで、この実施形態３の給紙装置２０においては、図８（Ａ）〜（Ｃ）に示すように、案内補助部材２５として、給紙トレイ２１の上に積載されている用紙Ｓを給紙ローラー２３と捌きローラー２４との間に案内する用紙案内部２５ｂと給紙トレイ２１の上に積載された用紙Ｓの先端部を抑止させる抑止部２５ｃとを有する平面四角形状のものを用い、この案内補助部材２５の底面と接触しながら回転するカム部材２５ｉにより、前記の案内補助部材２５を上下方向に移動させるようにすると共に、給紙トレイ２１の上に積載されている用紙Ｓの量を検知する用紙検知センサー３０を設け、この用紙検知センサー３０により検知された用紙Ｓの量に基づいて、制御装置３１により前記のカム部材２５ｉの回転を制御するようにしている。
【００４５】
そして、この実施形態３の給紙装置２０において、図８（Ａ）に示すように、給紙トレイ２１に積載された用紙Ｓの量が多いことが、前記の用紙検知センサー３０によって検知された場合には、前記の制御装置３１によりカム部材２５ｉの回転を制御し、カム部材２５ｉの軸２５ｊから離れた位置において、カム部材２５ｉが前記の案内補助部材２５の底面と接触するようにして、案内補助部材２５を上方の位置に移動させ、この案内補助部材２５における用紙案内部２５ｂを、給紙トレイ２１の上に多く積載された上側の用紙Ｓの位置に近づけると共に、前記の抑止部２５ｃを給紙トレイ２１の上に積載された用紙Ｓの先端部に近づけるようにする。そして、この状態で、給紙トレイ２１の上に積載された用紙Ｓを、ピックアップローラー２２によって給紙させると、この用紙Ｓが前記の用紙案内部２５ｂを通して給紙ローラー２３と捌きローラー２４との間に適切に導かれるようになる。
【００４６】
また、図８（Ｂ）に示すように、給紙トレイ２１の上に積載された用紙Ｓの量が少なくなると、これを前記の用紙検知センサー３０によって検知して、前記の制御装置３１によりカム部材２５ｉの回転を制御し、前記の案内補助部材２５の底面と接触するカム部材２５ｉの位置をカム部材２５ｉの軸２５ｊに近づけて、上方に移動された状態にある前記の案内補助部材２５を下方に移動させ、この案内補助部材２５における用紙案内部２５ｂを、前記のように少なくなった用紙Ｓの上部側に近づいた状態にする。そして、この状態で、給紙トレイ２１の上に積載された用紙Ｓを、ピックアップローラー２２によって給紙させると、この用紙Ｓが前記の用紙案内部２５ｂを通して給紙ローラー２３と捌きローラー２４との間に適切に導かれるようになる。
【００４７】
また、図８（Ｃ）に示すように、給紙トレイ２１の上に積載された用紙Ｓの量がさらに少なくなって、給紙トレイ２１の上に積載された上に位置する用紙Ｓが前記の傾斜部２１ａに近づいた場合には、これを前記の用紙検知センサー３０によって検知して、前記の制御装置３１によりカム部材２５ｉの回転を制御し、前記の案内補助部材２５の底面と接触するカム部材２５ｉの位置をカム部材２５ｉの軸２５ｊにさらに近づけて、案内補助部材２５をさらに下方に移動させ、この案内補助部材２５における用紙案内部２５ｂを、傾斜部２１ａと同じ位置か、傾斜部２１ａよりも下の位置に導くようにする。そして、この状態で、給紙トレイ２１の上に積載された用紙Ｓを、ピックアップローラー２２によって給紙させると、給紙トレイ２１の上に積載された用紙Ｓと前記の傾斜部２１ａとの高低差が少なくなっているため、この用紙Ｓが傾斜部２１ａを通して給紙ローラー２３と捌きローラー２４との間に適切に導かれるようになる。
【００４８】
このようにすると、前記の実施形態１、２の給紙装置２０と同様に、給紙トレイ２１の上に積載された用紙Ｓの量に対応して、案内補助部材２５における用紙案内部２５ｂが、給紙トレイ２１の上に積載された用紙Ｓの上部側に近づいた位置に適切に導かれるようになり、給紙トレイ２１の上に積載された用紙Ｓの量が多くなった場合においても、給紙トレイ２１の上に積載された用紙Ｓが、この案内補助部材２５における用紙案内部２５を通して給紙ローラー２３と捌きローラー２４との間に適切に導かれるようになり、従来のように、ピックアップローラー２２によって給紙トレイ２１から給紙された用紙Ｓが、傾斜部２１ａに当たって折れ曲がったり、大きくたわんだりするということがなくなる。
【００４９】
（実施形態４）
実施形態４の給紙装置２０においては、前記の実施形態１〜３のものと、案内補助部材２５及びこの案内補助部材２５を移動させる方法を変更させ、それ以外は、前記の実施形態１〜３のものと同様に構成するようにした。
【００５０】
ここで、この実施形態４の給紙装置２０においては、図９（Ａ），（Ｂ）に示すように、前記の案内補助部材２５として、給紙トレイ２１の上に積載されている用紙Ｓを給紙ローラー２３と捌きローラー２４との間に案内する用紙案内部２５ｂが、給紙トレイ２１の上に積載される用紙Ｓの最大高さの位置と給紙トレイ２１との間の所定の高さになるようにすると共に、この用紙案内部２５ｂにおける用紙Ｓ側の端部から下方に向けて給紙トレイ２１の上に積載された用紙Ｓの先端部を抑止させる抑止部２５ｃを設けた平面三角形状のものを用いるようにしている。
【００５１】
そして、この案内補助部材２５を移動装置３２により横方向に移動させるようにすると共に、給紙トレイ２１の上に積載されている用紙Ｓの量が所定量以下になったこと検知する用紙検知センサー３０を、前記の案内補助部材２５における用紙案内部２５ｂと対応した位置に設け、この用紙検知センサー３０によって給紙トレイ２１の上に積載されている用紙Ｓの量が所定量以下になったことが検知された場合には、制御装置３１により前記の移動装置３２を制御し、この移動装置３２により、前記の案内補助部材２５を給紙トレイ２１の上に積載された用紙Ｓの先端と前記の傾斜部２１ａとの間の空間部から取り出すようにしている。
【００５２】
そして、この実施形態４の給紙装置２０において、図９（Ａ）に示すように、給紙トレイ２１に積載された用紙Ｓの量が多く、前記の用紙検知センサー３０によって用紙Ｓが検知されている状態では、前記の制御装置３１により移動装置３２を制御し、前記の案内補助部材２５における用紙案内部２５ｂを給紙トレイ２１の上に積載された用紙Ｓの先端と傾斜部２１ａとの間の空間部内に維持させ、この状態で、給紙トレイ２１の上に積載された上に位置する用紙Ｓを、ピックアップローラー２２により、この用紙案内部２５ｂを通して給紙ローラー２３と捌きローラー２４との間に導くようにする。
【００５３】
ここで、給紙トレイ２１の上に積載される用紙Ｓの量が多いと、同図に示すように、ピックアップローラー２２によって給紙される用紙Ｓの位置が、案内補助部材２５における用紙案内部２５ｂよりも高くなるが、この場合であっても、給紙される用紙Ｓと案内補助部材２５における用紙案内部２５ｂとの高低差が、傾斜部２１ａだけの場合に比べて少なくなり、給紙された用紙Ｓが案内補助部材２５における用紙案内部２５ｂに当たって折れ曲がったり、大きくたわんだりするということがなく、用紙Ｓが用紙案内部２５ｂを通して給紙ローラー２３と捌きローラー２４との間に適切に導かれて搬送されるようになる。
【００５４】
また、図９（Ｂ）に示すように、給紙トレイ２１に積載された用紙Ｓの量が少なくなって、前記の用紙検知センサー３０によって用紙が検知されなくなると、前記の制御装置３１により移動装置３２を制御し、この移動装置３２により前記の案内補助部材２５を給紙トレイ２１の上に積載された用紙Ｓの先端と傾斜部２１ａとの間の空間部から取り出すように移動させ、給紙トレイ２１の上からピックアップローラー２２によって給紙された用紙Ｓを、前記の傾斜部２１ａを通して給紙ローラー２３と捌きローラー２４との間に導くようにする。
【００５５】
このようにした場合、給紙トレイ２１の上に積載された用紙Ｓの量がある程度減少して、給紙トレイ２１に積載された用紙Ｓと、前記の傾斜部２１ａとの高低差が少なくなっているため、従来のように、ピックアップローラー２２によって給紙トレイ２１から給紙された用紙Ｓが、傾斜部２１ａに当たって折れ曲がったり、大きくたわんだりするということがなく、傾斜部２１ａを通して給紙ローラー２３と捌きローラー２４との間に適切に導かれて搬送されるようになる。
【符号の説明】
【００５６】
１０  画像形成装置
１１  画像読取装置
２０  給紙装置
２１  給紙トレイ、２１ａ  傾斜部、２１ｂ  切欠き部
２２  ピックアップローラー、２２ａ  ローラー軸
２３  給紙ローラー、２３ａ  ローラー軸、２３ｂ  ギア
２４  捌きローラー（捌き部材）
２５  案内補助部材、２５ａ  回転軸、２５ｂ  用紙案内部、２５ｃ  抑止部、２５ｄ  ギア、２５ｅ  摩擦部材、２５ｆ  ラック部、２５ｇ  回転軸、２５ｈ  駆動ギア、２５ｉ  カム部材、２５ｊ  軸
２６  アーム部材
２７  ベルト伝達機構
２８  アーム連動部材、２８ａ  ギア
２９  ギア部材、２９ａ  第１ギア部、２９ｂ  第２ギア
３０  用紙検知センサー
３１  制御装置
３２  移動装置
Ｓ  用紙
【図１】
2015160681.tif 000003
【図２】
2015160681.tif 000004
【図３】
2015160681.tif 000005
【図４】
2015160681.tif 000006
【図５】
2015160681.tif 000007
【図６】
2015160681.tif 000008
【図７】
2015160681.tif 000009
【図８】
2015160681.tif 000010
【図９】
2015160681.tif 000011